(57)【要約】      （修正有）【課題】片手で簡単に車椅子に取り付けることができると共に、点滴の不使用時にはワンタッチで容易に取り外すことができ、且つ点滴棒の長さを容易に調整できる車椅子用点滴スタンドを提供する。【解決手段】車椅子用点滴スタンド１は、上下方向に伸縮可能な点滴棒２と、点滴棒の上端側に接続されて物を吊り下げるためのアーム部３ａを有する係止具３と、点滴棒の下端側に接続された締め具４と、を備える。締め具は、車椅子５の肘掛け５ａを挟持するための挟持部と、挟持部の挟持幅を調整するための調整レバーと、挟持部の挟持状態を解除するための解除ボタンとを有する。この構成により、片手で簡単に車椅子に取り付けることができると共に、点滴の不使用時にはワンタッチで容易に取り外すことができ、且つ点滴棒の長さを容易に調整できる。【選択図】図１
0003226245.tif 000002
【実用新案登録請求の範囲】
【請求項１】
車椅子に用いる車椅子用点滴スタンドであって、
上下方向に伸縮可能な点滴棒と、
前記点滴棒の上端側に接続されて物を吊り下げるためのアーム部を有する係止具と、
前記点滴棒の下端側に接続された締め具と、を備え、
前記締め具は、車椅子の肘掛けを挟持するための挟持部と、当該挟持部の挟持幅を調整するための調整レバーと、前記挟持部の挟持状態を解除するための解除ボタンと、を有することを特徴とする車椅子用点滴スタンド。
【請求項２】
前記点滴棒は、径の異なる複数の略筒状体が接続部材を介して嵌合されて成ることで上下方向に伸縮可能となる、ことを特徴とする請求項１記載の車椅子用点滴スタンド。
【請求項３】
前記挟持部は一対の対向する挟持面を有し、当該挟持面を車椅子の肘掛けに挟持面を締め付けることで前記車椅子用点滴スタンドが車椅子の肘掛けに着脱可能に取り付けられる、ことを特徴とする請求項１又は２記載の車椅子用点滴スタンド。
【請求項４】
前記締め具は、ラチェット機能を利用したバークランプである、ことを特徴とする請求項１乃至３のいずれか一項に記載の車椅子用点滴スタンド。
【考案の詳細な説明】
【技術分野】
【０００１】
本考案は、車椅子に連結可能であって、点滴用容器などを吊り下げた状態で移動可能とした車椅子用点滴スタンドに関する。
【背景技術】
【０００２】
従来より、病院などにおいて、患者に対して点滴や輸血が施されるが、開始してから完了するまでにかなりの時間を要する。そこで、点滴液容器や輸血用容器を吊り下げるために様々な道具が用いられている。
【０００３】
例えば、患者が点滴を継続しながら移動できるように、下端部にキャスタが付設された移動式点滴スタンドが多く用いられ、この点滴スタンドに点滴棒をワンタッチで着脱できる機能が開示されている（例えば、非特許文献１参照）。この機構を用いることで、移動の際の安全性を確保できる。
【０００４】
また、点滴用容器を吊り下げるための点滴棒を備えた車椅子も種々提案されている。例えば、点滴が必要な時には、例えば車椅子の車体やフレーム構造に設けられた穴部に点滴棒を差し込むことにより点滴棒を車椅子に装着する一方、点滴が不要なときには点滴棒を取り外すようにした車椅子牽引装置が開示されている（例えば、特許文献１参照）。
【先行技術文献】
【特許文献】
【０００５】
【特許文献１】特開２０１２−６１１７８号公報
【非特許文献】
【０００６】
【非特許文献１】“カチャっと君（登録商標）”[令和２年２月２６日検索]、インターネット＜ＵＲＬ：https://willmie.com/every_product/＞
【考案の概要】
【考案が解決しようとする課題】
【０００７】
しかしながら、上記従来の点滴スタンドは、車椅子に接続用の付属部品を予め取り付けておく必要性があり煩雑であり、またこの付属部品が車椅子を使用する患者にとって邪魔になる虞がある。
【０００８】
また、例えば、点滴スタンドがステンレス製の場合には非常に重く持ち運びが困難であり。点滴用スタンドの車椅子への取り付けも強固な重いネジを用いる必要があるなど不便である。
【０００９】
さらに、常時、車椅子に点滴スタンドを装着しておく方法があるが、この場合、点滴が不要なときには、車椅子に装着されている点滴棒が邪魔になり、車椅子の円滑な移動を妨げる虞がある。
【００１０】
本考案は、上記課題に鑑みてなされたものであり、片手で簡単に車椅子に取り付けることができると共に、点滴の不使用時にはワンタッチで容易に取り外すことができ、且つ点滴棒の長さを容易に調整できる車椅子用点滴スタンドを提供することを目的とする。
【課題を解決するための手段】
【００１１】
上記課題を解決するため、本考案は、車椅子に用いる車椅子用点滴スタンドであって、上下方向に伸縮可能な点滴棒と、前記点滴棒の上端側に接続されて物を吊り下げるためのアーム部を有する係止具と、前記点滴棒の下端側に接続された締め具と、を備え、前記締め具は、車椅子の肘掛けを挟持するための挟持部と、当該挟持部の挟持幅を調整するための調整レバーと、前記挟持部の挟持状態を解除するための解除ボタンと、を有することを特徴とする。
【００１２】
この車椅子用点滴スタンドにおいて、前記点滴棒は、径の異なる複数の略筒状体が接続部材を介して嵌合されて成ることで上下方向に伸縮可能となることが好ましい。
【００１３】
この車椅子用点滴スタンドにおいて、前記挟持部は一対の対向する挟持面を有し、当該挟持面を車椅子の肘掛けに挟持面を締め付けることで前記車椅子用点滴スタンドが車椅子の肘掛けに着脱可能に取り付けられることが好ましい。
【００１４】
この車椅子用点滴スタンドにおいて、前記締め具は、ラチェット機能を利用したバークランプであることが好ましい。
【考案の効果】
【００１５】
本考案に係る車椅子用点滴スタンドは、上下方向に伸縮可能な点滴棒と、点滴棒の上端側に接続されて物を吊り下げるためのアーム部を有する係止具と、点滴棒の下端側に接続された締め具とを備える。この締め具は、車椅子の肘掛けを挟持するための挟持部と、挟持部の挟持幅を調整するための調整レバーと、挟持部の挟持状態を解除するための解除ボタンとを有する。この構成により、本願考案は、片手で簡単に車椅子に取り付けることができると共に、点滴の不使用時にはワンタッチで容易に取り外すことができ、且つ点滴棒の長さを容易に調整できる車椅子用点滴スタンドとなる。
【図面の簡単な説明】
【００１６】
【図１】本考案の実施の形態に係る車椅子用点滴スタンド及び車椅子の斜視図である。
【図２】同上車椅子用点滴スタンドの締め具の拡大斜視図である。
【図３】（ａ）同上車椅子用点滴スタンドの点滴棒を縮めた状態を示す図、（ｂ）同上点滴棒を伸ばした状態を示す図である。
【図４】同上車椅子用点滴スタンドの点滴棒の伸縮構造の説明図である。
【考案を実施するための形態】
【００１７】
本考案の実施の形態に係る車椅子用点滴スタンドについて図面を参照しながら説明する。なお、この車椅子用点滴スタンドは車椅子への使用に限定されるものではなく、その他ベッドやストレッチャーなどにも使用可能である。
【００１８】
図１は、車椅子用点滴スタンド１及び車椅子５の斜視図を示している。車椅子５には、患者が座るために着座シート、背もたれ、フットレストなどの他に一対の肘掛け５ａが備わっている。
【００１９】
車椅子用点滴スタンド１は、上下方向に伸縮可能な点滴棒２と、点滴棒２の上端側に接続されて物（点滴用バッグなどの薬）を吊り下げるための湾曲であるアーム部３ａを有する係止具３と、点滴棒２の下端側に接続された締め具４と、を備える。点滴棒２のサイズは伸ばした状態で例えば100~120ｃｍ程度であり、点滴棒２や係止具３の素材にはアルミニウムやスチールなどの軽量の金属が用いられる。
【００２０】
締め具４は、図２に示すように、車椅子５の肘掛け５ａを挟持するための挟持部４ａと、挟持部４ａの挟持幅を調整するための調整レバー４ｂと、挟持部４ａの挟持状態を解除するための解除ボタン４ｃとを有する。そして、挟持部４ａは一対の対向する挟持面を有し、この挟持面が車椅子の肘掛けを締め付けることで車椅子用点滴スタンド１が車椅子１の肘掛け５ａに着脱可能に取り付けられる。
【００２１】
ここで締め具２の操作方法に関して図２を参照して説明する。締め具２は、具体的にはラチェット機能を利用したバークランプとなる。挟持部４ａの挟持面は、例えばゴム製の平面であり車椅子５の肘掛け５ａを傷つけることは無い。締付時には、スチール製の調整レバー４ｂを握る動作を繰り返すことで、片手で簡単に車椅子用点滴スタンド１を車椅子５の肘掛け５ａに固定できる。取り外しの際には、解除ボタン４ｃを押下するだけで、片方の挟持部４ａが解除方向にスライドして素早く固定を解除することができる。すなわち、締め具２はクイックリリースを可能としたバークランプとなる。
【００２２】
次に、点滴棒２の伸縮構造に関して図３及び図４を参照しながら説明する。本実施の形態において、点滴棒２は、径の異なる複数の略筒状体２ａが接続部材２ｂを介して嵌合されて成ることで上下方向に伸縮可能となる。図３（ａ）は縮んだ状態、図３（ｂ）には伸長した状態を示しており、この構成により係止具３に取り下げられる点滴液容器の高さを手動で簡単に調節できる。なお、ここでは、図４に示すように、一の略筒状体２ａが隣接する略筒状体２ａの中空部分に収容されることで伸縮を可能としている。
【００２３】
以上の説明のように、本実施の形態に係る車椅子用点滴スタンド１は、上下方向に伸縮可能な点滴棒２と、点滴棒２の上端側に接続されて物を吊り下げるためのアーム部３ａを有する係止具３と、点滴棒２の下端側に接続された締め具４と、を備える。締め具４は、車椅子５の肘掛け５ａを挟持するための挟持部４ａと、挟持部４ａの挟持幅を調整するための調整レバー４ｂと、挟持部４ａの挟持状態を解除するための解除ボタン４ｃとを有する。これにより、車椅子用点滴スタンド１は、取付時には車椅子５のひじ掛け５ａに極めて簡単な操作で締め付けることができる一方、取り外し時には解除ボタン４ｃを押下することで、ワンタッチで取り外しができて極めて操作性が良い。この結果、患者が一人で点滴などをしながら車椅子を操作できることとなる。
【００２４】
また、車椅子用点滴スタンド１を使用しない不使用時には点滴棒２を縮めることで保管スペースを要することなく保管ができる。さらに、点滴棒２が３段階に伸び縮みするために、例えば通院用リフト車両に乗車するときに点滴棒２の長さを縮めて、車椅子用点滴スタンド１を車椅子５から取り外さなくても車両に乗り込めて非常に便利である。またさらに、車椅子用点滴スタンド１は肘掛け５ａに着脱可能に取り付けられるため、リクライニング用車椅子に特に好適に用いることができる。すなわち、リクライニング用車椅子に乗った病人や要介護状態の老人などが車内空間に乗り込む際には点滴棒２の長さを短くし、乗り込んだ後に点滴棒２の長さを再度伸ばすことで点滴用容器を取り外す必要性がなくなる。
【００２５】
さらに、車椅子用点滴スタンド１は、主として軽量な金属材とゴム製品で構成されるため、車椅子用点滴スタンド１の軽量化や低価格化をも実現できる。
【００２６】
なお、本考案は、上記実施の形態の構成に限られず、考案の趣旨を変更しない範囲で種々の変形が可能である。また、上記実施の形態においては車椅子用点滴スタンド１の係止部３の構造を湾曲したアーム形状としたが他の形状でも良い。また、点滴棒２を伸縮する構造はその他の形状・構造も考え得ることは言うまでもない。
【符号の説明】
【００２７】
１  車椅子用点滴スタンド
２  点滴棒
２ａ  略筒状体
２ｂ  接続部材
３  係止具
３ａ  アーム部
４  締め具
４ａ  挟持部
４ｂ  調整レバー
４ｃ  解除ボタン
５  車椅子
５ａ  肘掛け
【図１】
0003226245.tif 000003
【図２】
0003226245.tif 000004
【図３】
0003226245.tif 000005
【図４】
0003226245.tif 000006